(57)【要約】      （修正有）【課題】犬又は猫の飼い主が、容易に飼い犬または猫の情報が得られる事ができ、携帯に便利な、犬又は猫用携帯身分証明書を提供する。【解決手段】原本による記載事項又、犬又は猫の顔写真を用いることにより証明力を高め、犬又は猫のサイズ、特徴を記載することで容易に飼い犬又は猫の情報が得られる。さらに樹脂の被覆により破損を防ぐ。且つ所要の大きさに構成され、携帯に便利である。【選択図】図１
0003101090.tif 000002
【実用新案登録請求の範囲】
【請求項１】
犬又は猫の飼い主が、容易に、飼い犬又は飼い猫の情報提供ができる、犬又は猫用携帯身分証明書。
【請求項２】
犬又は猫用身分証明書の原本より、証明がなされる犬又は猫の写真とその飼い主の名前。更にその犬又は猫の情報、サイズ等が、記述されていることを特徴とする、請求項１または２記載の犬用携帯身分証明書。
【請求項３】
外面に樹脂による被覆が施されていることを特徴とする請求項１、または２記載の犬又は猫用携帯身分証明書。
【考案の詳細な説明】
【技術分野】本考案は、犬又は猫用携帯身分証明書に関するものである。【０００１】
【背景技術】
【０００２】犬の飼い主又は猫の飼い主の日常生活において、飼い犬又は飼い猫の情報を求められるケースが、増加している。例えば、動物病院で、診察券を作成する場合。犬又は猫の美容院や、ホテル等で、犬種、猫の種、その他の情報を求められる場合。犬用の商品を購入する場合。例えば首輪のサイズ、洋服のサイズ、など聞かれる場面が多い。又、迷子犬又は迷い猫は、保健所、病院、一般家庭で保護される事も多く、本人が、飼い主であることの証明も必要になる。【０００３】人間の身分証明書は、一般であるが、犬用又は猫用の身分証明書はなく、上記のような場面のように、その必要性は、高い。一般では、人間の身分証明書は、主として運転免許証が、広く使用されている。キャッシュカードや、クレジットカードなどと、略同じ大きさであり、また薄いことから携帯が便利で、財布などに入れて持ち歩けるなどの理由による。更に、顔写真が含まれていることから、その証明力は高い。その特性は遠距離移動が、容易でない犬には、特に有効である。
【考案の開示】
【考案が解決しようとする課題】
【０００４】一方、犬の証明書のひとつとして、血統書があるが、この証明書は、血統書付の犬のみに発行されるものであり、生活上必要な情報ではない。また、携帯するには不便な大きさである。この犬用身分証明書を携帯することで、犬種又は猫の種を選ばず、常に飼い主は、飼い犬の情報を容易に把握することができ、犬、又は猫、関連のサービスを受けやすくすることができる。【０００５】そこで本発明は、携帯に便利であり、使い易い犬又は猫用携帯身分証明書を提供することを課題とする。
【課題を解決する為の手段】
【０００６】本発明の犬又は猫用携帯身分証明書は、犬種、猫の種、体のサイズ、その犬または猫の特長、顔写真も加えた生活上必要な情報を含んで構成されている。
【０００７】また、本考案の犬又は猫用携帯身分証明書は、所定の犬用又は猫用身分証明書の記載を所要の大きさに縮小して構成されていることを特徴とする。
【０００８】また、本考案の犬又は猫用携帯身分証明書は、特に上記の原本が、紙などの比較的弱い材料で形成された場合において、好ましくは外面に樹脂による、被覆処理が施されていることを特徴とする。このような樹脂被覆処理としては、具体的には、証明書の外面に樹脂の塗布や、吹きつけなどにより、樹脂層を形成する樹脂コーティング処理、あるいは過熱溶着などによって、証明書の両側に樹脂シートを一体に、固着するラミネート処理などが挙げられる。
【０００９】つまり本考案の犬又は猫用携帯身分証明書は、キャッシュカードや、クレジットカードの大きさに縮小して構成されたものであり、あるいはさらに写真を添付して構成されたものである。この為携帯に便利であり、また、証明力を高めることができる。さらに、再発行する場合も容易にできることも含む。
【考案を実施する為の最良の形態】
【００１０】以下に添付画面を用いて本考案の実施形態を説明する。図１、図２に本考案の実施形態の犬又は猫用身分証明書及びその作成手順を示した。すなわち、図１−〔Ａ〕は、実施形態の犬又は猫用身分証明書２０に使用する犬又は猫用身分証明書、図１−〔Ａ〕を示したものである。このような犬又は猫用携帯身分証明書の記載欄１０としては、例えば、犬、猫の名前、犬種、猫の種、生年月日、住所電話番号、緊急時における動物病院の電話番号の記載がされている。
【００１１】図１−〔Ａ〕に、犬又は猫用携帯身分証明書の記載欄表面を示した。
【００１２】図１−〔Ｂ〕２２は、飼い犬又は、飼い猫の写真が入る。
【００１３】図１−〔Ｂ〕２３は、追加記述、特徴が記載される。
【００１４】図１−〔Ａ〕２０は、キャッシュカードの大きさを有するものである。
【００１５】図２−〔Ａ〕に、犬又は猫用携帯身分証明書の記載欄裏面を示した
【００１６】図２−〔Ａ〕２４はその犬又は猫のサイズが記載されており、これにより、首輪や洋服、キャリーバック等の購入に、容易に役立てることができる。
【００１７】図２−〔Ａ〕２５には、飼い主の名前が記載されている。
【００１８】〔図１−〔Ａ〕３１、図２−〔Ｂ〕３２〕この実施形態では、犬又は猫用形態身分証明書の両側に、透明ないし、半透明な薄い樹脂シート〔例えばＰＥシート〕３１，３２をそれぞれ被覆し、且つこれら樹脂シート３１，３２の端部分を、溶着や接着するなどして、樹脂シート３１、３２を一体に固着して構成される。その他樹脂シート３１，３２を用いることに代えて例えれば、溶解樹脂を、犬又は猫用携帯身分証明書の外面に吹きつけ、硬化させることで、犬又は猫用身分証明書の外面に樹脂による被覆を施すこともできる。そして、このように樹脂による犬又は猫用携帯身分証明書の破損を防ぐことができる。
【００１９】本考案によれば、携帯に便利で使い易い、犬又は猫用携帯身分証明書を提供することができる。
【図面の簡単な説明】
【００２０】
【図１】〔Ａ〕は犬又は、猫用携帯身分証明書の表面の記載欄を示した。
【００２１】
【図２】〔Ａ〕記載欄から作成した犬又は猫用携帯身分証明書のサイズ表、裏面を示した。
【００２２】〔図１、図２共〕〔Ｂ〕の犬又は猫用携帯身分証明書の外面に樹脂による被覆を施して構成された図を示した。〔Ａ〕は、樹脂被覆処理中の状態を、また〔Ｂ〕は樹脂被覆完了の状態をそれぞれ示した説明文である。
【符号の説明】
【００２３】１０  犬又は猫用携帯身分証明書の記載欄  〔表面〕２０  犬又は猫用携帯身分証明書  〔表面裏面共〕２１  写真欄  〔表面〕２２  追加欄  〔表面〕２３  犬又は猫のサイズ記載欄  〔裏面〕２４  飼い主の名前記載欄  〔裏面〕３１  樹脂フィルム  〔表面〕３２  樹脂フィルム  〔裏面〕
【図１】
0003101090.tif 000003
【図２】
0003101090.tif 000004
【手続補正書】
【提出日】平成15年10月28日(2003.10.28)
【手続補正１】
【補正対象書類名】実用新案登録請求の範囲
【補正対象項目名】全文
【補正方法】変更
【補正の内容】
【実用新案登録請求の範囲】
【請求項１】
犬又は猫の飼い主が、容易に、飼い犬又は飼い猫の情報提供ができ、外面に樹脂による被覆が施されていることを特徴とする犬又は、猫用携帯身分証明書。
【請求項２】
▲１▼表面に、写真欄を有する。
▲２▼表面に、その犬（猫）の生年月日欄を有する。
▲３▼表面に、その犬（猫）の住所欄を有する。
▲４▼裏面に、その犬（猫）のサイズの記載欄を有する。
▲５▼裏面に、その犬（猫）の飼い主の名前記載欄を有する。
上記▲１▼〜▲５▼を特徴とする携帯犬用又は、猫用身分証明書。
【請求項３】
犬又は猫の飼い主が、容易に飼い犬又は飼い猫の情報が提供でき、外面に樹脂による被覆が施されている、請求項２を記載の犬用又は、猫用携帯身分証明書。
【手続補正２】
【補正対象書類名】明細書
【補正対象項目名】００２３
【補正方法】変更
【補正の内容】
【００２３】１０  生年月日、住所の記載欄
２０  犬又は猫用携帯身分証明書〔表面裏面共〕
２２  写真欄〔表面〕
２３  追加欄
２４  犬、又は猫のサイズ記載欄
２５  飼い主の名前記載欄
３１  樹脂フィルム〔表面〕
３２  樹脂フィルム〔裏面〕